(57)【要約】【課題】未使用時ののりの漏出がなく、中栓の取り外しの煩雑さもない未使用時に倒立状態で保持される液状のりののり容器を提供することを目的とする。【解決手段】本考案ののり容器１は、のり通路を有する中栓３に嵌合される栓２０と、未使用時には、中栓３を閉塞させるように栓２０を上方へ押圧するのり容器スタンドとしての大抑えナット６を有するので、空気の膨張によって塗布ヘッド４から液漏れが生じることがない。また、使用する際には大抑えナット６を取り外せばすぐ使える。【選択図】図７
0003123869.tif 000002
【実用新案登録請求の範囲】
【請求項１】
一端に開口部を有するのり容器本体と、
前記のり容器本体の開口部に嵌挿されたほぼ中央部に筒状ののり出口の突設された中蓋と、
前記のり容器本体の開口部上に前記中蓋を覆うように配置された外周に鍔部を有する多孔性素材からなる塗布ヘッドと、
前記のり容器本体の開口部の外周に被嵌されて前記塗布ヘッドの鍔部を前記のり容器本体の縁部に圧接固定する中央に前記塗布ヘッドの一部を露出させる円形の穴の形成された抑えナットと、
前記中蓋と前記抑えナット間に挿入される筒体と前記筒体の中央にブリッジを介して前記筒体に保持され前記塗布ヘッドを介して押圧されたとき前記中蓋ののり通路を閉塞する栓体からなるのり漏れ防止部材と、
前記抑えナットが挿入可能な凹部を有し前記凹部中央には前記のり容器本体を倒立状態にして前記凹部に挿入したとき前記塗布ヘッドを押圧可能な突起を有するのり容器スタンドと
を有することを特徴とするのり容器。
【請求項２】
前記抑えナットはその内周にねじ溝が形成され、前記のり容器本体の開口部外周に形成されたねじ溝に螺合されていることを特徴とする請求項１記載ののり容器。
【請求項３】
前記抑えナットはその外周にねじ溝が形成され、前記のり容器スタンドの凹部内周に形成されたねじ溝に螺合されていることを特徴とする請求項１又は２記載ののり容器。
【考案の詳細な説明】
【技術分野】
【０００１】
本考案は、流動性のある液状ののりを収容するのり容器本体と、こののり容器本体の先端部分を倒立状態で保持するのり容器スタンドからなるのり容器にかかり、特に倒立状態でのり容器本体を保持した状態における塗布ヘッドからののりの漏出を防止したのり容器に関する。
【背景技術】
【０００２】
従来から、流動性のある液状ののりを収容するのり容器において、使用時にすぐにのりが出てくるように未使用時には倒立状態で保持するようにしたのり容器が知られている（例えば、特許文献１参照）。
【０００３】
しかし、このタイプののり容器では、のりの残量が少なくなった場合には温度上昇による内部の空気の膨張により、保持状態でのりが塗布ヘッドから漏出してくるという難点がある。
【０００４】
運搬あるいは保管中の漏れを防止するために、のり容器の開口部に中栓を挿入したものも知られているが、使用する際に塗布ヘッドを外してのり容器の開口部から中栓を外さねばならず面倒である。
【特許文献１】特開２００５−１４５５５４号公報
【考案の開示】
【考案が解決しようとする課題】
【０００５】
上述の通り、未使用時には倒立状態で保持するようにした液状ののりを収容するのり容器では、のりの残量が減少した場合温度上昇による内部の空気の膨張により、保持状態でのりが塗布ヘッドから漏出してくるという難点がある。
【０００６】
また、中栓を漏れ止めのために用いたのでは、使用する際に塗布ヘッドを外してのり容器の開口部から中栓を外さねばならず操作が非常に煩雑になってしまうという難点がある。
【０００７】
本考案は、かかる従来の問題を解決するためになされたもので、未使用時ののりの漏出がなく、中栓の取り外しの煩雑さもない未使用時に倒立状態で保持される液状のりののり容器を提供することを目的とする。
【課題を解決するための手段】
【０００８】
上記の目的を解決するために、本考案ののり容器は、一端に開口部を有するのり容器本体と、前記のり容器本体の開口部に嵌挿されたほぼ中央部に筒状ののり出口の突設された中蓋と、前記のり容器本体の開口部上に前記中蓋を覆うように配置された外周に鍔部を有する多孔性素材からなる塗布ヘッドと、前記のり容器本体の開口部の外周に被嵌されて前記塗布ヘッドの鍔部を前記のり容器本体の縁部に圧接固定する中央に前記塗布ヘッドの半球状部を露出させる円形の穴の形成された抑えナットと、前記中蓋と前記抑えナット間に挿入される筒体と前記筒体の中央にブリッジを介して前記筒体に保持され前記塗布ヘッドを介して押圧されたとき前記中蓋ののり通路を閉塞する栓体からなるのり漏れ防止部材と、前記抑えナットが挿入可能な凹部を有し前記凹部中央には前記のり容器本体を倒立状態にして前記凹部に挿入したとき前記塗布ヘッドを押圧可能な突起を有するのり容器スタンドとを有することを特徴とする。
【０００９】
本考案における上記の抑えナットは、その内周にねじ溝が形成され、のり容器本体の開口部外周に形成されたねじ溝に螺合される構造であることが望ましい。
【考案の効果】
【００１０】
本考案ののり容器は、のり通路を有する中蓋に嵌合される栓体と、この栓体が中蓋を閉塞させるように塗布ヘッドを介して押圧するのり容器スタンドとを有するので、容器スタンドから外した状態では中蓋ののり通路が開放され、容器スタンドに倒立状態で保持させた状態では、中栓が塗布ヘッドを介して容器スタンドの突起に押圧されて中蓋ののり通路が閉塞されるため、保持状態で内部空気が膨張してものりが塗布ヘッドから漏出することがない。
【考案を実施するための最良の形態】
【００１１】
以下、本考案の第１の実施の形態を図面を参照して詳細に説明する。
図１は本考案ののり容器の分解斜視図である。図２は本考案ののり容器の中栓の断面図である。図３は本考案ののり容器の塗布ヘッドの断面図である。図４は図３を真上から見た平面図である。図５は本考案ののり容器のスポンジ抑えナットの断面図である。図６は本考案ののり容器の大抑えナットの断面図である。図７は本考案ののり容器の断面図である。
【００１２】
（第１実施例）
図１に示すように本実施例ののり容器１は、のり容器本体２、中蓋としての中栓３、のり漏れ防止部材としての塗布ヘッド４、塗布ヘッド４を中栓３を介してのり容器本体２縁部に圧接固定する抑えナットとしてのスポンジ抑えナット５、のり容器スタンドとしての大抑えナット６を有するのり容器である。
【００１３】
のり容器本体２は略円筒状をなしており、手指などによる加圧で容易に変形する軟質の合成樹脂から形成されている。のり容器の一端には、のりの出口となる開口７が設けられ、のり容器本体は、この開口７近傍において筒状の外径が二段に縮径され、各筒状部が大抑えナット６が被嵌される大抑えナット被嵌部８とスポンジ抑えナット５が被嵌されるスポンジ抑えナット被嵌部９とされている。
大抑えナット被嵌部８の外周にはねじ山１０が形成されており大抑えナット６と螺合される。
【００１４】
スポンジ抑えナット被嵌部９の外周にもねじ山１１が形成されており、スポンジ抑えナット５が螺合される。このねじ山１１は大抑えナット被嵌部８に形成されたねじ山１０とは逆向きに形成されている。すなわち逆ねじ形成の為、大抑えナット被嵌部８に被嵌された大抑えナット６を取り外すときに、スポンジ抑えナット５が一緒に取り外されてしまうことが無い。
【００１５】
中栓３は一端に開口を有する略円筒状に形成されており、その断面図を図２に示す。
中栓３は、略円筒状に形成された嵌挿部１２と、嵌挿部１２の底部に一体に設けられた鍔部１３と、嵌挿部１２の底部中央に一体に突設された略円錐状をなすのり出口部１４とから構成されている。
嵌挿部１２はのり容器本体２開口７のスポンジ抑えナット被嵌部９内周面に嵌挿される。鍔部１３の外径はスポンジ抑えナット被嵌部９の外径と同径に形成されている。
この鍔部１３は、嵌挿部１２がのり容器本体２開口７のスポンジ抑えナット被嵌部９内周面に嵌挿された際。のり容器内に中栓３が落ちるのを防止する。
のり容器本体２内に入れられたのりは、使用時にのり出口部１４より押し出される。
のり出口部１４の鍔部１３に一体に形成されている一端側の開口は１〜２ｍｍ程度とすることが望ましく他端側の開口は３ｍｍ〜４ｍｍとすることが望ましい。
【００１６】
塗布ヘッド４は、図３及び図４に示すように、軟質の合成樹脂で形成されたのりの通路を有する支持部材１５及びこの支持部材１５上被嵌された、略円形状に形成された多孔状素材及び布体とを張り合わせた弾力性のスポンジ１６とで構成されている。
【００１７】
支持部材１５は、外径が中栓３底部に設けられた鍔部１３の外径と同径に形成されている鍔部１７と、この鍔部１７上に略円筒状に形成された骨格部１８から構成されている。骨格部１８の内径及び外径は中栓３嵌挿部１２の内径及び外径とそれぞれ同径に形成されている。骨格部１８は、鍔部１７が形成された一端側の反対側の端縁部に骨格部１８中央に向かって放射状に一体形成された合成樹脂製の８本のブリッジ１９と、このブリッジ１９に支持されて、骨格部１８中央に鍔部１７に向かって突設される略円錐状の栓２０とで構成されている。
換言すれば、栓２０は、骨格部１８の下端縁部に一体形成された８本のブリッジ１９を介して、骨格部１８の下端縁部に設置されている。栓２０は中栓３に突設されたのり出口部１４に容易に嵌挿可能な略円錐状に形成されている。
栓２０及びブリッジ１９は下方より押圧された際、想像線のように可動する。
中栓３に突設されたのり出口部１４より押し出されたのりは、骨格部１８のブリッジ１９の間隙を通ってスポンジ１６の多数の小孔から押し出される。
【００１８】
図５に示すようにスポンジ抑えナット５は段部を有し、上方と下方に開口が設けられた略円筒状に形成されている。
一端側の開口２１は他端側の開口２２よりも大径に形成され、開口２１の内径及び外径は、のり容器本体２開口７に形成された大抑えナット被嵌部８縁部の内径及び外径とそれぞれ同径に形成されている。この開口２１を有する一端側の筒状の内側面の所定の個所には、スポンジ抑えナット被嵌部外周に設けられたねじ山１１に螺合されるねじ溝２３が形成されている。
【００１９】
開口２１よりも縮径している開口２２を有する他端側の内径は、支持部材１５に形成された鍔部１７の外径と同径に形成されている。この開口２２縁部には、開口２２中央に向かって突設される鍔部２４が形成されている。鍔部２４の内径は支持部材１５の骨格部１８端縁部の内径と同径に形成されている。この鍔部２４によって、塗布ヘッド４はのり容器本体２開口縁部に圧接固定される。
スポンジ抑えナット５には塗布ヘッド４が、スポンジ抑えナット５下方よりスポンジ１６の一部を露出した状態で嵌挿される。スポンジ抑えナット５に形成された鍔部２４により、塗布ヘッド４の鍔部１７が引っかかるのでのり容器使用中に塗布ヘッドが抜け落ちる事が無い。スポンジ抑えナット５が塗布ヘッド４をのり容器本体２開口縁部に圧接固定するさいには、鍔部２４が鍔部１７を押圧することによって塗布ヘッド４はのり容器本体２開口縁部に圧接固定される。
【００２０】
なお、スポンジ抑えナット５の形状は段部を有する略円筒状でなくとも、スポンジ抑えナット被嵌部９外周に設けられたねじ山１１に螺合されるねじ溝と、塗布ヘッド４をのり容器本体２開口縁部に圧接固定できる鍔部とを有していれば任意の形状にしてもよい。
【００２１】
図６に示すように大抑えナット６は上方へ向けてわずかに縮径している略円筒状に形成されている。
大抑えナット６は上方が開口し下方が閉口するように形成されている。上方に設けられた開口２５の内径はのり容器本体２開口７に形成された大抑えナット被嵌部８縁部の外径と同径に形成されている。
開口２５内周面の所定の個所にはねじ溝２６が形成されている。このねじ溝２６がのり容器本体２開口７に形成された大抑えナット被嵌部８に螺合される。ねじ溝２６はスポンジ抑えナット５に形成されたねじ溝２３とは逆向きに形成されている。すなわち大抑えナット６を容器本体２より取り外した際、スポンジ抑えナット５も一緒に取り外されてしまうことが無い。
【００２２】
開口２５底部には、大抑えナット６がのり容器本体２開口７に形成された大抑えナット被嵌部８に螺合された際に塗布ヘッド４下側中央部を上方へ押圧させる突起２７が一体に突設されている。この突起２７が塗布ヘッド４下側中央部を押圧する、すなわち塗布ヘッド４の支持部材１５中央部にブリッジ１９を介して設けられた栓２０が押圧されることで、中栓３に突設されたのり出口部１４を閉塞させる。換言すれば中栓３に突設されたのり出口部１４は突起２７によって押圧された塗布ヘッド４により閉塞させられる。
【００２３】
図７に示すように、のり容器１はのり容器本体２開口７のスポンジ抑えナット被嵌部９縁部に中栓３が嵌挿される。
スポンジ抑えナット５はスポンジ抑えナット被嵌部９に螺合されている。
塗布ヘッド４すなわち支持部材１５及びスポンジ１６はスポンジ抑えナット５に嵌挿され中栓３を介してスポンジ抑えナット被嵌部９縁部に圧接固定されている。
更に、大抑えナット６がスポンジ抑えナット被嵌部９を覆うように大抑えナット被嵌部８に螺合されている。
【００２４】
大抑えナット６の開口２５底部に設けられた突起２７が塗布ヘッド４を上方へ押圧している。すなわち、突起２７が支持部材１５中央に設けられた栓２０をスポンジ１６を介して上方に押し上げている。このことにより中栓３に突設されたのり出口部１４が、上方に押し上げられた栓２０により閉塞されて、のりの未使用時にのり容器本体２内に入れられたのりが塗布ヘッドより漏出することが防止される。
【００２５】
栓２０はブリッジによって支持されているので大抑えナット６が取り外されると所定の高さまで降下する。このときのり出口部１４は閉塞されないのでのり容器本体２内ののりがのり出口部１４から出される。すなわち使用者は大抑えナット６を取り外せばすぐにのり付けを行うことができる。
【００２６】
この実施例ののり容器１は、従来のような運搬あるいは保管中ののりの漏出を防止するための中栓をのり容器開口に挿入する必要が無いので、使用する時にいちいち中栓を取り外すことが無い。
大抑えナット６を取り外せば直ちに使用することができるし、大抑えナット６が取付けられているときにはのり容器本体２内ののりが漏出することがない。
【００２７】
この実施例ではのり容器本体２開口近傍に大抑えナット被嵌部８を設けたが、大抑えナット被嵌部８の設置位置はこれに限定されず、例えばスポンジ抑えナット５の外周面の任意の個所に大抑えナットと螺合するようなねじ溝を設けてもよい。
【００２８】
この実施例ではスポンジ抑えナット５及び大抑えナット６をのり容器本体２に嵌合させる手段としてねじ山及びねじ溝をそれぞれの所定の個所に設け螺合させるようにした。しかし、嵌合させる手段はこれに限定されず中栓３及び塗布ヘッド４が圧接固定され、大抑えナット６の開口２５底部に設けられた突起２７が塗布ヘッド４を押圧可能ならば任意の手段を用いることができる。また、突起２７の形状も特に限定されず、押圧された塗布ヘッド４が中栓３に突設された出口部１４を閉塞可能ならば任意の形状にしてもよい。
【００２９】
次に図８及び図９を用いて本考案ののり容器の第２実施例を説明する。
図８は第１実施例の中栓３ののり出口部１４の変形例。図９は第１実施例の塗布ヘッド４の栓３２の変形例である。
【００３０】
（第２実施例）
図８に示すようにこの実施例の中栓２８は、上方に開口２９を有する略円筒状に形成されており、嵌挿部１２と、嵌挿部１２の底部に一体に設けられた鍔部１３と、鍔部１３中央に、開口２９を向いて鍔部１３に一体に突設されたのり出口部３０とから構成されている。のり出口部３０は略円錐状に形成されている。
【００３１】
支持部材３１は図９に示すように、支持部材１５と、栓３２とで主要に構成されている。
栓３２はのり出口部３０の内側面に嵌挿可能な円錐状に形成されている。栓３２はのり出口部３０の内側面に嵌挿された際、栓３２の上方がのり出口部３０上方より僅かに突出するように形成されている。このことにより未使用時にのりが漏出するのをより一層防止できる。
その他の構造やスポンジ１６、栓３２の設置個所は実施例１と同じであるので、図３と対応する部分に同一符号を付して重複する説明を省略する。
【図面の簡単な説明】
【００３２】
【図１】本考案の第１の実施例ののり容器の分解斜視図。
【図２】図１ののり容器の中栓の断面図。
【図３】図１ののり容器の塗布ヘッドの断面図。
【図４】図３を真上から見た平面図。
【図５】図１ののり容器のスポンジ抑えナットの断面図。
【図６】図１ののり容器の大抑えナットの断面図。
【図７】図１ののり容器の断面図。
【図８】第１実施例の中栓３ののり出口部１４の変形例を示す断面図
【図９】第１実施例の塗布ヘッド４の栓３２の変形例を示す断面図
【符号の説明】
【００３３】
１…のり容器、２…のり容器本体、３，２８…中栓、４…塗布ヘッド、５…スポンジ抑えナット、６…大抑えナット、７，２１，２２，２５，２９…開口、８…大抑えナット被嵌部、９…スポンジ抑えナット被嵌部、１０，１１…ねじ山、１２…嵌挿部、１３，１７，２４…鍔部、１４，３０…のり出口部、１５，３１…支持部材、１６…スポンジ、１８…骨格部、１９…ブリッジ、２０，３２…栓、２３，２６…ねじ溝、２７…突起。
【図１】
0003123869.tif 000003
【図２】
0003123869.tif 000004
【図３】
0003123869.tif 000005
【図４】
0003123869.tif 000006
【図５】
0003123869.tif 000007
【図６】
0003123869.tif 000008
【図７】
0003123869.tif 000009
【図８】
0003123869.tif 000010
【図９】
0003123869.tif 000011